(57)【要約】【課題】隣接する主面板のコーナー部に生じるデッドスペースを面取りして材料の面積を小さくするとともに、重ねた際に主面板が外方に膨らむことを抑制し、かつ、帯状の胴部を円滑に屈曲でき、高速で自動包装可能としたラップアラウンドケースを提供すること。【解決手段】帯状の胴部１１０と、内フラップ１２０および外フラップ１３０を備えてなるラップアラウンドケース１００であって、胴部１１０が少なくとも２つの隣接する主面板１１１、１１２の間に連接面板１１５を有し、連接面板１１５に隣接する主面板１１２に備えられた内フラップ１２０の側端面１２１が連接面板１１５の屈曲される形状に合致するように形成され、連接面板１１５の内フラップ１２０側端に係止片１１６が形成されていること。【選択図】図２
2013193754.tif 000002
【特許請求の範囲】
【請求項１】
少なくとも３つの主面板を有し筒状に組み立てられる帯状の胴部と、少なくとも１つの主面板の両側部に内フラップを備え、他の少なくとも１つの主面板の両側部に外フラップを備えてなるラップアラウンドケースであって、
前記胴部が、少なくとも２つの隣接する前記主面板の間に連接面板を有し、
前記内フラップが、前記連接面板に隣接するいずれか一方の主面板に備えられ、
該内フラップの連接面板側の側端面が、前記胴部を筒状に組み立てた際の前記連接面板の屈曲される形状に合致するように形成され、
前記連接面板の内フラップ側端には、屈曲時に前記内フラップの連接面板側の側端面に係止するよう突出した係止片が形成されていることを特徴とするラップアラウンドケース。
【請求項２】
前記胴部が、４つの主面板を有することを特徴とする請求項１に記載のラップアラウンドケース。
【請求項３】
前記連接面板が、１つの主面板の両側に備えられ、
前記１つの主面板には、外フラップが備えられ、
前記両側の連接面板に続くそれぞれの主面板には、前記内フラップがそれぞれ備えられていることを特徴とする請求項２に記載のラップアラウンドケース。
【請求項４】
前記連接面板が、少なくとも１つの屈曲線で屈曲する２つ以上の平面で形成され、
前記係止片が、前記平面毎に独立して形成されていることを特徴とする請求項１乃至請求項３のいずれかに記載のラップアラウンドケース。
【請求項５】
前記内フラップの連接面板側の側端面が曲線状に形成されて、前記連接面板が屈曲した際に隣接する主面板を曲面で連結するように形成され、
前記係止片が、前記連接面板の幅全体に連続的に形成されていることを特徴とする請求項１乃至請求項３のいずれかに記載のラップアラウンドケース。
【請求項６】
前記内フラップの連接面板側の側端面には、前記係止片と係合する端縁凹部が設けられていることを特徴とする請求項１乃至請求項５のいずれかに記載のラップアラウンドケース。
【発明の詳細な説明】
【技術分野】
【０００１】
本発明は、少なくとも３つの主面板を有し筒状に組み立てられる帯状の胴部と、少なくとも１つの主面板の両側部に内フラップを備え、他の少なくとも１つの主面板の両側部に外フラップを備えてなり、ボトルや缶などの容器に収納された飲食料品やその他の物品の包装に好適なラップアラウンドケースの改良に関する。
【背景技術】
【０００２】
ラップアラウンドケースは、帯状の胴部により包装される物品を包んで端部を接合して筒状とし、内フラップおよび外フラップにより当該筒状に形成された胴部の端面を閉塞することで物品の包装するように構成されている。
たとえば、特許文献１に示すように、胴部が４つの主面板で構成され、すなわち、左右の側壁面となる１対の立面板と、上壁面および底壁面となる１対の平面板が交互に連設されて構成され、各立面板の両端縁には内フラップが、各平面板の両端縁には外フラップがそれぞれ連設されて、ラップアラウンドケースとして物品を包装して直方体に組み立てられるものが公知である。
【０００３】
また、たとえば、特許文献２に示すように、ラップアラウンドケースに包装される物品を缶ビール等の筒状容器とした場合には、コーナー部（角部）のスペースはいわゆるデッドスペースとなるため、また、ハンドリング性の向上を図るためにラップアラウンドケースの４つのコーナー部を面取りした上面８角形のラップアラウンドケースも存在する。
また、たとえば、特許文献３に示すように、胴部の主面板のコーナー部を面取りして、材料の面積を小さくするものも公知である。
【先行技術文献】
【特許文献】
【０００４】
【特許文献１】特開２０１１−２４０９４１号公報（全頁、全図）
【特許文献２】特許３７８０２４９号公報（全頁、全図）
【特許文献３】特開２０１１−２５５９６３号公報（全頁、全図）
【発明の概要】
【発明が解決しようとする課題】
【０００５】
しかしながら、ラップアラウンドケースに包装される物品が断面矩形で口部の細くなったペットボトル等の場合には、デッドスペースは隣接する主面板のコーナー部に生じるため、特許文献２に示すようなラップアラウンドケースは使用できないという問題点があった。
また、特許文献１に示すような、直方体のラップアラウンドケースを使用した場合には、デッドスペースがそのまま残ってしまい、そのために胴部の全周を短くすることができず材料の面積が大きくなり、無駄が発生するという問題があった。
さらに、直方体のラップアラウンドケースで物品を包装した場合、当該ラップアラウンドケースを重ねると、その重量により垂直方向の主面板（立面板）が外方に膨らむ、いわゆる「胴膨れ」が顕著となるという問題があった。
【０００６】
また、物品を包装する際、一般的には、主面板が連なって構成される帯状の胴部で物品を包み込むように収納した後、その開口したままになっている胴部両端部をそれぞれ内フラップおよび外フラップで順次塞ぐことで、物品が収納されたラップアラウンドケースが完成する。
しかしながら、主面板のコーナー部にデッドスペースが存在する場合、あるいは、特許文献３に示すように主面板のコーナー部を面取りした場合でも通常はデッドスペースが残るため、帯状の胴部で物品を包み込む際のコーナー部や面取り部の屈曲を内部側からバックアップする物品が存在せず、帯状の胴部の円滑な屈曲が阻害され、高速に自動包装を行うことが困難であるという問題があった。
また、仮に、包装する物品の形状に倣って面取りが可能で、デッドスペースがないとしても、軽量の物品やペットボトル等の変形しやすい物品の場合、包装される物品が倒れたり移動したり、あるいは、物品が凹んだり潰れたりするため、物品がバックアップとして機能せず、高速に自動包装を行うことが困難であるという問題があった。
【０００７】
そこで本発明は、前述したような公知のラップアラウンドケースの問題を解決するものであって、隣接する主面板のコーナー部に生じるデッドスペースを面取りして材料の面積を小さくするとともに、重ねた際に主面板が外方に膨らむことを抑制し、かつ、帯状の胴部を円滑に屈曲でき、高速で自動包装可能としたラップアラウンドケースを提供することを目的とする。
【課題を解決するための手段】
【０００８】
本請求項１に係る発明は、少なくとも３つの主面板を有し筒状に組み立てられる帯状の胴部と、少なくとも１つの主面板の両側部に内フラップを備え、他の少なくとも１つの主面板の両側部に外フラップを備えてなるラップアラウンドケースであって、前記胴部が、少なくとも２つの隣接する前記主面板の間に連接面板を有し、前記内フラップが、前記連接面板に隣接するいずれか一方の主面板に備えられ、該内フラップの連接面板側の側端面が、前記胴部を筒状に組み立てた際の前記連接面板の屈曲される形状に合致するように形成され、前記連接面板の内フラップ側端には、屈曲時に前記内フラップの連接面板側の側端面に係止するよう突出した係止片が形成されていることにより、前記課題を解決するものである。
【０００９】
本請求項２に係る発明は、請求項１に記載のラップアラウンドケースの構成に加えて、前記胴部が、４つの主面板を有することにより、前記課題を解決するものである。
本請求項３に係る発明は、請求項２に記載のラップアラウンドケースの構成に加えて、前記連接面板が、１つの主面板の両側に備えられ、前記１つの主面板には、外フラップが備えられ、前記両側の連接面板に続くそれぞれの主面板には、前記内フラップがそれぞれ備えられていることにより、前記課題を解決するものである。
本請求項４に係る発明は、請求項１乃至請求項３のいずれかに記載のラップアラウンドケースの構成に加えて、前記連接面板が、少なくとも１つの屈曲線で屈曲する２つ以上の平面で形成され、前記係止片が、前記平面毎に独立して形成されていることにより、前記課題を解決するものである。
本請求項５に係る発明は、請求項１乃至請求項３のいずれかに記載のラップアラウンドケースの構成に加えて、前記内フラップの連接面板側の側端面が曲線状に形成されて、前記連接面板が屈曲した際に隣接する主面板を曲面で連結するように形成され、前記係止片が、前記連接面板の幅全体に連続的に形成されていることにより、前記課題を解決するものである。
本請求項６に係る発明は、請求項１乃至請求項４のいずれかに記載のラップアラウンドケースの構成に加えて、前記内フラップの連接面板側の側端面には、前記係止片と係合する端縁凹部が設けられていることにより、前記課題を解決するものである。
【発明の効果】
【００１０】
本請求項１に係る発明のラップアラウンドケースによれば、少なくとも２つの隣接する主面板の間に連接面板を設けることにより、隣接する主面板のコーナー部に生じるデッドスペースを連接面板で面取りして胴部の全周を短くし、材料の面積を小さくすることが可能となる。
また、内フラップの連接面板側の側端面が胴部を筒状に組み立てた際の連接面板の屈曲される形状に合致するように形成され、連接面板の内フラップ側端には屈曲時に内フラップの連接面板側の側端面に係止するよう突出した係止片が形成されていることにより、帯状の胴部で物品を包み込む際、内フラップを先に屈曲させた後に連接面板およびそれに隣接する主面板を屈曲させることで、内フラップの側端面が内部側からバックアップしてコーナー部の屈曲を円滑に行うことが可能となり、高速に自動包装を行うことができる。
【００１１】
本請求項２に記載の構成によれば、一般的な、直方体形状のラップアラウンドケースのデッドスペースを連接面板で面取りして胴部の全周を短くし、材料の面積を小さくすることが可能となる。
また、物品を包装したラップアラウンドケースを積み重ねた際、連接面板に連なる垂直方向の主面板の屈曲部分で側方への膨らみが吸収され、垂直方向の主面板が湾曲して外方に膨らむ、いわゆる「胴膨れ」を防止することができる。
本請求項３に記載の構成によれば、１つの主面板の両側にデッドスペースが存在する場合、複数の連接面板で面取りしてさらに胴部の全周を短くし、材料の面積をより小さくすることが可能となる。
本請求項４に記載の構成によれば、複数の連接面板を組み合わせることで、包装される物品の形状によって決まる様々な形状のデッドスペースに、より最適に対応可能であり、より胴部の全周を短くし材料の面積をより小さくすることが可能となる。
本請求項５に記載の構成によれば、連接面板を曲面とすることにより、さらに最適に対応可能であるとともに、コーナー部を曲面とすることによって意匠的にも優れたものとなり、角潰れ等によって外観を損ねることも抑制できる。
本請求項６に記載の構成によれば、連接面板を屈曲する際に、係止片が内フラップの連接面板側の側端面に設けられた端縁凹部に係合することで、連接面板によって形成されるコーナー部の形状をより正確に決めることが可能となり、より高速に自動包装を行うことが可能となる。
【図面の簡単な説明】
【００１２】
【図１】本発明の１実施形態であるラップアラウンドケースの展開図。
【図２】本発明の１実施形態であるラップアラウンドケースの斜視図。
【図３】図１の一部拡大説明図。
【図４】本発明の１実施形態であるラップアラウンドケースの組立説明側面図。
【図５】本発明の第２実施形態であるラップアラウンドケースの一部拡大説明図。
【図６】本発明の第２実施形態であるラップアラウンドケースの組立説明側面図。
【図７】本発明の第３実施形態であるラップアラウンドケースの一部拡大説明図。
【図８】本発明の第３実施形態であるラップアラウンドケースの組立説明側面図。
【図９】本発明の第４実施形態であるラップアラウンドケースの一部拡大説明図。
【発明を実施するための形態】
【００１３】
本発明は、少なくとも３つの主面板を有し筒状に組み立てられる帯状の胴部と、少なくとも１つの主面板の両側部に内フラップを備え、他の少なくとも１つの主面板の両側部に外フラップを備えてなるラップアラウンドケースであって、胴部が少なくとも２つの隣接する主面板の間に連接面板を有し、内フラップが連接面板に隣接するいずれか一方の主面板に備えられ、該内フラップの連接面板側の側端面が胴部を筒状に組み立てた際の連接面板の屈曲される形状に合致するように形成され、連接面板の内フラップ側端には屈曲時に内フラップの連接面板側の側端面に係止するよう突出した係止片が形成されており、隣接する主面板のコーナー部に生じるデッドスペースを面取りして材料の面積を小さくするとともに、重ねた際に主面板が外方に膨らむことを抑制し、かつ、帯状の胴部を円滑に屈曲でき、高速で自動包装可能なものであれば、その具体的な構成はいかなるものであっても良い。
胴部を形成する主面板は、一般的には４つであるのが好適であるが、３つでも良く、５つ以上であっても良い。
また、胴部は、展開状態において隣接する主面板、あるいは主面板と連接面板との間で分割されるように形成されても良く、主面板のいずれか１つが展開状態において２つに分割され、組立時に１つの主面板を構成（たとえば、特許文献３に記載の平面板２、２’のように構成）するように形成されていても良い。
連接面板は、一般的には１つの主面板の両側に設けられるのが好適であるが、片方のみであっても良く、さらに他の主面板にも隣接して合計３つ以上設けられても良い。
ラップアラウンドケースの材質は、一般的には段ボールが好適であるが、包装ケースとして使用可能な材質であればいかなるものであっても良い。
【実施例１】
【００１４】
次に、本発明の１実施形態であるラップアラウンドケース１００の具体的な構成および動作について図面に基づいて説明する。
なお、各図は、正確な寸法、縮尺、外観等で示したものではなく、説明のために、適宜変形、簡略化したものである。たとえば、図２は紙の厚みを省いて示し、図４は外フラップを省いて示している。
本発明の１実施形態であるラップアラウンドケース１００は、組立前の状態では平面に展開されており、１枚の段ボールシートを打ち抜いて形成されている。
図１に示すように、筒状に組み立てられる４つの主面板１１１、１１２、１１３、１１４と２つの連接面板１１５を有する帯状の胴部１１０と、それぞれ主面板の両側部に設けられた内フラップ１２０および外フラップ１３０からなる。
帯状の胴部１１０は、上面板１１１、連接面板１１５、立面板１１２、底面板１１３、立面板１１４、連接面板１１５、接合片１１７の順に連なっており、内フラップ１２０は、２つの立面板１１２、１１４の両側部にそれぞれ連なって設けられ、外フラップ１３０は、上面板１１１および底面板１１３の両側部にそれぞれ連なって設けられている。
【００１５】
本実施形態のラップアラウンドケース１００は、物品を包装して組み立てられた状態では、図２および図４に示すように、胴部１１０は、上面板１１１と底面板１１３が平行で、２つの立面板１１２、１１４が平行かつ底面板１１３と垂直で、上面板１１１の端部側が接合片１１７が重なり、内フラップ１２０および外フラップ１３０が折り曲げられて筒状の胴部１１０の両端部を閉塞し、直方体の２つの稜線がそれぞれ連接面板１１５で面取りされた形状となる。
【００１６】
内フラップ１２０は、その連接面板１１５側の側端面１２１が胴部１１０を筒状に組み立てた際の連接面板１１５の屈曲される形状に合致するように形成されている。
すなわち、図３に示す、組立前の内フラップ１２０と立面板１１２との折曲線と側端面１２１のなす角度ｂが、図４に示す筒状に組み立てた際の立面板１１２に対する連接面板１１５がなす角度ｂと等しくなるように形成されている。
この内フラップ１２０の連接面板１１５側の側端面１２１の形状は、図３で示す以外の他の部分も同様に構成されている。
【００１７】
連接面板１１５の内フラップ１２０側の端部には、屈曲時に内フラップ１２０の連接面板１１５側の側端面１２１に係止するよう突出した係止片１１６が形成されている。
この突出量ａは、ラップアラウンドケース１００を構成する材料の厚みに応じて、下限は確実に係止可能な範囲で、かつ、上限は組立後の側端面からの突出が許容される範囲で、適宜設定すればよい。
この係止片１１６は、図３で示す以外の他の部分も同様に構成されている。
【００１８】
以上のように構成された本発明の１実施形態であるラップアラウンドケース１００を組み立てる際の動作について説明する。
まず、図１に示すように、ラップアラウンドケース１００が平面に展開した状態から、底面板１１３に対してその両隣の立面板１１２、１１４が屈曲線に沿ってそれぞれ９０°折り曲げられ、それぞれの立面板１１２、１１４の両側部の内フラップ１２０が屈曲線に沿ってそれぞれ９０°折り曲げられる。
立面板１１２、１１４の折り曲げ動作とそれぞれの内フラップ１２０の折り曲げ動作は、公知の装置により自動で行われるが、その動作シーケンスは、上記の順でも、その逆順でも良く、それぞれの屈曲線に対する折り曲げ動作がいかなる順に行われても良い。
また、それぞれの屈曲線に対する折り曲げ動作のいくつかが、全く同時に、あるいは、所定の時間差で開始されて並行に行われても良い。
包装される物品は、通常、折り曲げ動作の開始前に底面板１１３上に載せられるが、前記の折り曲げ動作の完了後を含め、いかなるタイミングで底面板１１３上に載せられても良い。
【００１９】
次に、それぞれの立面板１１２、１１４に対して連接面板１１５が屈曲線に沿って折り曲げられる。
この時、連接面板１１５の内フラップ１２０側の端部に突出して設けられた係止片１１６が側端面１２１に係止するため、連接面板１１５は確実に予定された角度まで屈曲して停止する。
そして、それぞれの連接面板１１５に対して上面板１１１および接合片１１７が屈曲線に沿って底面板１１３と平行になるように折り曲げられる。
本実施形態では、図４に示すように、接合片１１７の折り曲げ動作が先に完了した後、上面板１１１の折り曲げ動作が完了して重なり、接合片１１７と上面板１１１の端部が接着剤等で接合される
最後に、上面板１１１および底面板１１３の両側部の外フラップ１３０が屈曲線に沿ってそれぞれ９０°折り曲げられ接着剤等で接合されて、図２で示す状態となり、ラップアラウンドケース１００による物品の包装が完了する。
【実施例２】
【００２０】
次に、本発明の第２実施形態であるラップアラウンドケースについて図面に基づいて説明する。
第２実施形態であるラップアラウンドケースは、図５および図６に示すように、直方体の２つの稜線がそれぞれ２枚の連接面板１１５ａ、１１５ｂで２段階に面取りされた形状となり、その他の構成および組立動作は上記実施形態と同様であるので説明を省略する。
本第２実施形態では、内フラップ１２０は、２枚の連接面板１１５ａ、１１５ｂ側の側端面１２１ａ、１２１ｂが胴部１１０を筒状に組み立てた際の２枚の連接面板１１５ａ、１１５ｂが屈曲線にそって２段階に屈曲される形状に合致するように形成されている。
それぞれの連接面板１１５ａ、１１５ｂの内フラップ１２０側の端部には、屈曲時に内フラップ１２０の連接面板１１５ａ、１１５ｂ側の側端面１２１ａ、１２１ｂに係止するよう突出した係止片１１６ａ、１１６ｂが形成されている。
【実施例３】
【００２１】
次に、本発明の第３実施形態であるラップアラウンドケースについて図面に基づいて説明する。
第３実施形態であるラップアラウンドケースは、図７および図８に示すように、直方体の２つの稜線がそれぞれ湾曲する連接面板１１５ｒによって曲面で面取りされた形状となり、その他の構成および組立動作は上記実施形態と同様であるので説明を省略する。
本第３実施形態では、内フラップ１２０は、連接面板１１５ｒ側の側端面１２１ｒが胴部１１０を筒状に組み立てた際の曲面を構成する連接面板１１５ｒが曲面状に湾曲される形状に合致するように形成されている。
なお、組立時に連接面板１１５ｒを円滑に湾曲させるため、図中の細点線で示すように、連接面板１１５ｒ内に上面板１１１および立面板１１２との屈曲線と平行な複数の罫線を形成してもよい。
それぞれの連接面板１１５ｒの内フラップ１２０側の端部には、湾曲時に内フラップ１２０の連接面板１１５ｒ側の側端面１２１ｒに係止するよう突出した係止片１１６ｒが形成されている。
【実施例４】
【００２２】
次に、本発明の第４実施形態であるラップアラウンドケースについて図面に基づいて説明する。
第４実施形態であるラップアラウンドケースは、図９に示すように、内フラップ１２０の連接面板側の側端面１２１には、係止片１１６と係合する端縁凹部１２１ｓが設けられており、その他の構成および組立動作は上記実施形態と同様であるので説明を省略する。
本第４実施形態では、端縁凹部１２１ｓの長さを係止片１１６がちょうど係合する長さに設定することで、連接面板１１５と立面板１１２との屈曲線の位置が不正確であったり、組立時に屈曲位置からずれ屈曲したり湾曲した場合でも、係止片１１６が端縁凹部１２１ｓに係合することで予定されたコーナー部の形状となる位置に修正される。
このことで、連接面板１１５のコーナー部の形状をより正確に決めることが可能となり、より高速に自動包装を行うことが可能となる。
なお、このような端縁凹部１２１ｓを、上記第２実施形態の側端面１２１ａ、１２１ｂや第３実施形態の側端面１２１ｒに設けても良い。
【産業上の利用可能性】
【００２３】
本発明のラップアラウンドケースは、段ボールで構成され帯状の胴部により包装される物品を包んで端部を接合して筒状とし、内フラップおよび外フラップにより当該筒状に形成された胴部の端面を閉塞することで物品を包装するのに好適であるが、組立時に包装する用途に限定されず、単なるケースとしても応用可能である。
また、主面板の数、連接面板が適用されるコーナー部の位置、その箇所数、それぞれのコーナー部における連接面板の数、角度、湾曲度等は、上記実施形態のものに限定されず、様々な変形が可能である。
複数のコーナー部に連接面板を適用する際に、コーナー部毎に異なる枚数、湾曲度の連接面板を組み合わせても良い。
また、上記実施形態では、帯状の胴部１１０がコーナー部に接合片１１７が位置し、主面板の端部と接合するように形成されているが、いずれかの主面板を２つに分割して、分割された主面板の対向する端縁を延長して接合片を設けるように形成しても良い。
その場合、組み立てる際には、当該分割された主面板が最後に屈曲されるため、連接面板は当該分割された主面板に隣接して設けられるのが好適である。
【符号の説明】
【００２４】
１００  ・・・ラップアラウンドケース
１１０  ・・・胴部
１１１  ・・・上面板（主面板）
１１２  ・・・立面板（主面板）
１１３  ・・・底面板（主面板）
１１４  ・・・立面板（主面板）
１１５  ・・・連接面板
１１６  ・・・係止片
１１７  ・・・接合片
１２０  ・・・内フラップ
１２１  ・・・連接面板側の側端面
１３０  ・・・外フラップ
【図１】
2013193754.tif 000003
【図２】
2013193754.tif 000004
【図３】
2013193754.tif 000005
【図４】
2013193754.tif 000006
【図５】
2013193754.tif 000007
【図６】
2013193754.tif 000008
【図７】
2013193754.tif 000009
【図８】
2013193754.tif 000010
【図９】
2013193754.tif 000011